(57)【要約】【課題】建物の外壁を覆って雨の打ち込みを確実に防ぐことができるとともに、建物内にも出入りがし易い養生シートの取付構造を提供することを目的とする。【解決手段】施工途中の建物Ａに雨養生を施すためのものであり、前記建物Ａの外壁１の上縁部に沿って紐状体２０が張り渡されており、この紐状体２０に複数のフック部材３０が前記紐状体２０の長手方向に沿って移動可能に取り付けられており、前記フック部材３０に前記養生シート１０が垂下された状態で取り付けられていることを特徴とする養生シートの取付構造。【選択図】図１
2007039907.tif 000002
【特許請求の範囲】
【請求項１】
施工途中の建物に雨養生を施すための養生シートの取付構造において、
前記建物の外壁の上縁部に沿って紐状体が張り渡されており、
この紐状体に複数のフック部材が前記紐状体の長手方向に沿って移動可能に取り付けられており、
前記フック部材に前記養生シートが垂下された状態で取り付けられていることを特徴とする養生シートの取付構造。
【請求項２】
請求項１に記載の養生シートの取付構造において、
前記紐状体の両端部のうち、少なくとも一方が、前記外壁のコーナ部を回り込んで外壁の側端面に取り付けられていることを特徴とする養生シートの取付構造。
【請求項３】
請求項１または２に記載の養生シートの取付構造において、
前記建物の外壁の上縁部に沿って、複数の吊り金具が所定間隔で、かつ前記外壁から突出して取り付けられており、
前記吊り金具に前記紐状体が張り渡されていること特徴とする養生シートの取付構造。
【請求項４】
請求項１に記載の養生シートの取付構造において、
前記建物の外壁の周囲に外部作業用の足場が設置されており、
前記建物の屋根に沿って第２の紐状体が張り渡されており、
この第２の紐状体に複数の第２のフック部材が前記第２の紐状体の長手方向に沿って移動可能に取り付けられており、
前記第２のフック部材に第２の養生シートの上端部が取り付けられており、
前記第２の養生シートの下端部が前記足場に取り付けられていることを特徴とする養生シートの取付構造。
【請求項５】
請求項１〜４のいずれか一項に記載の養生シートの取付構造において、
前記フック部材は、開放口を有するフック本体と、基端部が前記フック本体の一方の開放端部に取り付けられ、遊端部を前記フック本体の他方の開放端部に係脱させて開放口を内向きに開閉する開閉部材とを備えていることを特徴とする養生シートの取付構造。
【発明の詳細な説明】
【技術分野】
【０００１】
本発明は、施工途中の建物に雨養生を施すための養生シートの取付構造に関する。
【背景技術】
【０００２】
高所における建築工事に対応して足場を組み立てて用いる場合、この足場から工具あるいは資材等の落下を防止する手段、あるいは工事の施工に伴う飛散物による公害を防止する手段などとして、前記足場の外側に養生シートを結びつけて張設していた（例えば、特許文献１参照）。
【特許文献１】特開平１１−２６４２５２号公報
【発明の開示】
【発明が解決しようとする課題】
【０００３】
ところで、このような養生シートは、資材等の落下などを防止するだけでなく、上述のように足場に張設しておくことによって、降雨時における建物側への雨の打ち込みを軽減することができるようになっている。
【０００４】
ところが、このような養生シートは、上述のように足場の外側に張設されているので、建物からは若干の隙間を開けた状態で張設されていることになる。したがって、例えば軒部分が完成していない状態の施工途中の住宅では、前記隙間から建物側へと打ち込む雨を防ぐことができない場合があった。
【０００５】
また、このような養生シートが建物の開口部や出入り口付近の足場に張設されていた場合、建物内で作業を行うには、足場に結び付けられた養生シートをいちいち解いてから出入りしなければならず手間であった。
【０００６】
本発明の課題は、建物の外壁を覆って雨の打ち込みを確実に防ぐことができるとともに、建物内にも出入りがし易い養生シートの取付構造を提供することを目的とする。
【課題を解決するための手段】
【０００７】
請求項１に記載の発明は、例えば図１および図２に示すように、施工途中の建物Ａに雨養生を施すための養生シートの取付構造において、
前記建物Ａの外壁１の上縁部に沿って紐状体２０が張り渡されており、
この紐状体２０に複数のフック部材３０が前記紐状体２０の長手方向に沿って移動可能に取り付けられており、
前記フック部材３０に前記養生シート１０が垂下された状態で取り付けられていることを特徴とする。
【０００８】
請求項１に記載の発明によれば、前記建物Ａの外壁１の上縁部に沿って前記紐状体２０が張り渡され、この紐状体２０に前記養生シート１０が、前記複数のフック部材３０を介して垂下された状態で取り付けられているので、前記外壁１を覆うことが可能となり、雨の打ち込みを確実に防ぐことができる。
また、前記複数のフック部材３０は、前記紐状体２０の長手方向に沿って移動可能に取り付けられているので、これら複数のフック部材３０に取り付けられる前記養生シート１０も前記紐状体２０の長手方向に沿って移動可能となる。したがって、建物Ａ内で作業する際にも、前記養生シート１０を簡単にスライドさせることができるので、建物Ａ内にも出入りがし易い。
【０００９】
請求項２に記載の発明は、例えば図３および図４に示すように、請求項１に記載の養生シートの取付構造において、
前記紐状体２０の両端部２０ａ、２０ｂのうち、少なくとも一方が、前記外壁１のコーナ部を回り込んで外壁１の側端面に取り付けられていることを特徴とする。
【００１０】
請求項２に記載の発明によれば、前記紐状体２０の両端部２０ａ、２０ｂのうち、少なくとも一方が、前記外壁１のコーナ部を回り込んで外壁１の側端面に取り付けられていることから、前記紐状体２０に垂下された状態で取り付けられる養生シート１０によって前記外壁１の側端面に近い位置までこの外壁１を覆うことできるので、前記養生シート１０の脇から雨が打ち込むことを確実に防ぐことができる。
【００１１】
請求項３に記載の発明は、例えば図４に示すように、請求項１または２に記載の養生シートの取付構造において、
前記建物Ａの外壁１の上縁部に沿って、複数の吊り金具４０が所定間隔で、かつ前記外壁１から突出して取り付けられており、
前記吊り金具４０に前記紐状体２０が張り渡されていること特徴とする。
【００１２】
請求項３に記載の発明によれば、前記外壁１から突出して取り付けられた前記吊り金具４０に前記紐状体２０が張り渡されているので、前記紐状体２０に前記養生シート１０を垂下した際に、前記外壁１と養生シート１０との間に若干の隙間を形成することができる。これによって、前記紐状体２０の長手方向に沿って取り付けられる前記複数のフック部材３０の移動を円滑に行うことができるようになり、前記複数のフック部材３０に取り付けられる前記養生シート１０を前記紐状体２０の長手方向に沿って円滑にスライドさせることが可能となる。
【００１３】
請求項４に記載の発明は、例えば図５に示すように、請求項１に記載の養生シートの取付構造において、
前記建物Ｂの外壁２の周囲に外部作業用の足場５が設置されており、
前記建物Ｂの屋根６に沿って第２の紐状体２１が張り渡されており、
この第２の紐状体２１に複数の第２のフック部材３１が前記第２の紐状体２１の長手方向に沿って移動可能に取り付けられており、
前記第２のフック部材３１に第２の養生シート１１の上端部が取り付けられており、
前記第２の養生シート１１の下端部が前記足場５に取り付けられていることを特徴とする。
【００１４】
請求項４に記載の発明によれば、前記外壁２の周囲に設置された足場５と、前記屋根６に沿って張り渡された第２の紐状体２１との間に、前記第２の養生シート１１を張設することができるので、前記足場５と屋根６との間から建物Ｂ側へと打ち込む雨を防ぐことができるとともに、雨天時においても軒下での作業を進めることが可能となり、施工性を向上させることが可能となる。
【００１５】
請求項５に記載の発明は、例えば図６に示すように、請求項１〜４のいずれか一項に記載の養生シートの取付構造において、
前記フック部材３０（３１）は、開放口３０ｃを有するフック本体３０ａと、基端部３０ｄが前記フック本体３０ａの一方の開放端部に取り付けられ、遊端部３０ｅを前記フック本体３０ａの他方の開放端部に係脱させて開放口３０ｃを内向きに開閉する開閉部材３０ｂとを備えていることを特徴とする。
【００１６】
請求項５に記載の発明によれば、前記開閉部材３０ｂによって前記開放口３０ｃを内向きに開放するだけで、このフック部材３０（３１）を前記養生シート１０（１１）に容易に引っ掛けることができるとともに、前記紐状体２０（２１）にも容易に引っ掛けることができるので、このフック部材３０（３１）によって前記養生シート１０（１１）と紐状体２０（２１）とを簡単に繋ぐことが可能となり、取り外しも簡単に行うことができる。
【発明の効果】
【００１７】
本発明によれば、建物の外壁の上縁部に沿って紐状体が張り渡され、この紐状体に複数のフック部材が前記紐状体の長手方向に沿って移動可能に取り付けられ、前記フック部材に前記養生シートが垂下された状態で取り付けられているので、前記養生シートによって前記建物の外壁を覆うことが可能となり、雨の打ち込みを確実に防ぐことができる。
しかも、前記複数のフック部材は、前記紐状体の長手方向に沿って移動可能に取り付けられているので、これら複数のフック部材に取り付けられる前記養生シートも前記紐状体の長手方向に沿って移動可能となる。したがって、建物内で作業する際にも、前記養生シートを簡単にスライドさせることができるので、建物内にも出入りがし易い。
また、前記建物の外壁の周囲に外部作業用の足場が設置され、前記建物の屋根に沿って第２の紐状体が張り渡されて、これら足場と第２の紐状体との間に第２の養生シートを張設することができるので、前記足場と屋根との間から建物側へと打ち込む雨を防いで、雨天時においても軒下での作業を進めることが可能となり、施工性を向上させることが可能となる。
【発明を実施するための最良の形態】
【００１８】
以下、図面を参照して本発明に係る養生シートの取付構造の実施の形態について説明する。なお、本実施の形態の建物Ａ〜Ｄは、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００１９】
（第１の実施の形態）
本実施の形態の養生シート１０の取付構造は、図１および図２に示すように、施工途中の建物Ａに雨養生を施すためのものであり、
前記建物Ａの外壁１の上縁部に沿って紐状体２０が張り渡されており、
この紐状体２０に複数のフック部材３０が前記紐状体２０の長手方向に沿って移動可能に取り付けられており、
前記フック部材３０に前記養生シート１０が垂下された状態で取り付けられている。
【００２０】
前記外壁１は、図示はしないが、複数の壁パネルが連結されて形成されている。この壁パネルは、縦框材と横框材とが矩形状に組み立てられるとともに、この矩形枠の内部に補強芯材が縦横に組まれて枠体が形成され、さらにこの枠体内にグラスウール等の断熱材が充填された状態で枠体の表裏面に合板等の面材が貼設されて形成されている。
また、この外壁１には、図２に示すように、開口部１ｂが形成されている。
【００２１】
前記養生シート１０は、難燃性を備えた繊維よりなる布帛の表面に撥水剤が付与されたものであり、防炎性、撥水性において特に優れている。また、持ち運び等の便を考慮して軽量のものが好ましい。
さらに、この養生シート１０は、図１〜図４に示すように、カーテン様に襞が設けられているとともに、この養生シート１０によって被覆すべき外壁１の大きさに合う大きさに形成されている。また、この養生シート１０の端部に沿って、前記複数のフック部材３０を引っ掛けるための引掛穴（図示せず）が複数形成されている。
【００２２】
なお、本実施の形態の養生シート１０は、図９（ａ）に示すように、一方の側縁に第１のファスナー１５が取り付けられ、他方の側縁に第２のファスナー１６が取り付けられている。さらに、これら第１および第２のファスナー１５、１６は、雌雄の関係になっており、隣り合う養生シート１０どうしを繋げることができるようになっている。これによって、前記養生シート１０で覆うべき外壁１の範囲が広い場合にも対応することができるので、雨の打ち込みを確実に防ぐことが可能となる。
【００２３】
一方、前記第１および第２のファスナー１５、１６は、上から下に向かって閉めることができるように前記養生シート１０の側縁に取り付けられている。
すなわち、これら第１および第２のファスナー１５、１６を上から下に閉めるように取り付けることによって、図９（ｂ）に示すように、丈の異なる養生シート１０、１０ａどうしであっても互いに繋ぐことが可能となるので、覆うべき箇所の外形等に合わせた大きさの養生シート１０、１０ａを使用することができ、効果的に雨の打ち込みを防ぐことが可能となる。
【００２４】
なお、本実施の形態の養生シート１０は上述のような構成としたが、これに限られるものではなく、本発明の趣旨を逸脱しない範囲で適宜変更可能である。
【００２５】
前記紐状体２０は、前記養生シート１０の重量に耐え得る強度を備えたものが用いられている。より具体的には、例えば、工事現場用保安施設の用具として使用される標識ロープ（トラロープとも言う）や金属製のワイヤー等、上述のように前記養生シート１０の重量に耐え得る強度を有しているものが好ましい。
また、前記金属製のワイヤーを用いる場合は、図示はしないが、この紐状体２０と前記外壁１とが接触する部分に緩衝材を設けて、前記外壁１に傷が付かないようにしておくことが好ましい。
【００２６】
また、このような紐状体２０は、図３および図４に示すように、この紐状体２０の両端部２０ａ、２０ｂのうち、少なくとも一方が、前記外壁１のコーナ部を回り込んで外壁１の側端面に取り付けられており、これにより、この紐状体２０に垂下された状態で取り付けられる養生シート１０によって前記外壁１の側端面に近い位置までこの外壁１を覆うことできるので、前記養生シート１０の脇から雨が打ち込むことを確実に防ぐことができるようになっている。
【００２７】
また、図３に示すように、前記建物Ａの外壁１の一部が入隅部１ａとなっていた場合は、前記紐状体２０の一端部２０ａだけが、前記外壁１のコーナ部を回り込んで外壁１の側端面に取り付けられる状態となる。
すなわち、このような場合、前記養生シート１０によって外壁１の一方の側端面に近い位置まで覆うことができるので、前記養生シート１０の一方の脇から雨が打ち込むことを確実に防ぐことができるようになっている。
また、前記紐状体２０の他端部２０ｂも、前記入隅部１ａ近傍に位置するように張り渡されるので、前記養生シート１０によって前記入隅部１ａに近い位置まで覆うことができ、雨が打ち込み難くなっている。
【００２８】
前記フック部材３０は、図６に示すように、開放口３０ｃを有するフック本体３０ａと、基端部３０ｄが前記フック本体３０ａの一方の開放端部に取り付けられ、遊端部３０ｅを前記フック本体３０ａの他方の開放端部に係脱させて開放口３０ｃを内向きに開閉する開閉部材３０ｂとを備えている。
このようなフック部材３０によれば、前記開閉部材３０ｂによって前記開放口３０ｃを内向きに開放するだけで、このフック部材３０を前記養生シート１０に容易に引っ掛けることができるとともに、前記紐状体２０にも容易に引っ掛けることができるので、このフック部材３０によって前記養生シート１０と紐状体２０とを簡単に繋ぐことが可能となり、取り外しも簡単に行うことができる。
【００２９】
また、図示はしないが、バネ等を前記開閉部材３０ｂの基端部３０ｄ近傍に設けて、この開閉部材３０ｂによって前記開放口３０ｃを内向きに開放した後、この開閉部材３０ｂが再び閉じ位置に戻るような機構を設けると望ましい。
【００３０】
なお、本実施の形態のフック部材３０は、図４に示すように、所定の間隔で前記紐状体２０に引っ掛けられている。
すなわち、これらフック部材３０どうしの間隔が大きすぎる場合、前記養生シート１０は幅の短いものを使用しなければならず、遊びの部分がなくなってしまうので、十分な範囲で前記外壁１を覆うことができない場合がある。
また、前記フック部材３０どうしの間隔が小さい場合、前記養生シート１０は幅の広いものを使用しなければならず、前記紐状体２０に前記養生シート１０の過度な重みがかかってしまう場合がある。
このようなことを防ぐために、上述のように前記フック部材３０どうしは所定の間隔で前記紐状体２０に引っ掛けるようにしている。
【００３１】
一方、前記建物Ａの外壁１には、図１〜図４に示すように、この外壁１の上縁部に沿って、複数の吊り金具４０が所定間隔で、かつ前記外壁１から突出して取り付けられており、前記吊り金具４０に前記紐状体２０が張り渡されている。
このように、前記外壁１から突出して取り付けられた前記吊り金具４０に前記紐状体２０が張り渡されているので、前記紐状体２０に前記養生シート１０を垂下した際に、前記外壁１と養生シート１０との間に若干の隙間を形成することができる。これによって、前記紐状体２０の長手方向に沿って取り付けられる前記複数のフック部材３０の移動を円滑に行うことができるようになり、前記複数のフック部材３０に取り付けられる前記養生シート１０を前記紐状体２０の長手方向に沿って円滑にスライドさせることが可能となる。
【００３２】
前記吊り金具４０は、本実施の形態では、前記紐状体２０を通すための輪状部４０ａと、この輪状部４０ａを一端部に備え、かつこの輪状部４０ａと前記外壁１との間隔をあける本体部４０ｂと、この本体部４０ｂの他端部に設けられ、かつ前記外壁１にねじ込まれるネジ部（図示せず）とを備えている。
なお、本実施の形態の吊り金具４０は上述のような構成としたが、これに限られるものではなく、本発明の趣旨を逸脱しない範囲で適宜変更可能であることは言うまでも無い。
【００３３】
次に、前記養生シート１０を建物Ａの外壁１に取り付けるには、図１に示すように、まず、前記外壁１の上縁部に沿って、前記複数の吊り金具４０を所定間隔で、かつ前記外壁１から突出して取り付ける。
この時、これら複数の吊り金具４０は、前記紐状体２０の両端部２０ａ、２０ｂを取り付けできるように前記建物Ａの外壁１の両側端面に取り付けておく。また、前記外壁１の左右端部にも取り付けておくようにする。
【００３４】
次に、これら複数の吊り金具４０に前記紐状体２０を張り渡す。そして、この紐状体２０の両端部２０ａ、２０ｂは、前記外壁１の両側端面に取り付けられた吊り金具４０に強く固定しておく。
【００３５】
次に、前記複数の吊り金具４０間に張り渡された前記紐状体２０に、前記複数のフック部材３０を前記紐状体２０の長手方向に沿って移動可能に取り付ける。
そして、これら複数のフック部材３０に前記養生シート１０を垂下した状態で取り付ける。
【００３６】
このような養生シート１０の取付方法によれば、前記建物Ａの外壁１に前記吊り金具４０を取り付けて、この吊り金具４０に前記紐状体２０を張り渡し、この紐状体２０に前記複数のフック部材３０を介して前記養生シート１０を取り付けるだけで、その取付作業が完了する。したがって、取付作業を早く済ませることができ、かつ人員も少なくて済むので、コストの削減や施工性の向上を図ることが可能となる。
【００３７】
なお、上述したような前記建物Ａの外壁１の一部が入隅部１ａとなっていた場合も、このような取付方法によって前記養生シート１０を前記外壁１に取り付けることができることは言うまでも無い。
【００３８】
以上のような構成の養生シート１０の取付構造によれば、前記建物Ａの外壁１の上縁部に沿って前記紐状体２０が張り渡され、この紐状体２０に前記養生シート１０が、前記複数のフック部材３０を介して垂下された状態で取り付けられているので、前記外壁１を覆うことが可能となり、雨の打ち込みを確実に防ぐことができる。
また、前記複数のフック部材３０は、前記紐状体２０の長手方向に沿って移動可能に取り付けられているので、これら複数のフック部材３０に取り付けられる前記養生シート１０も前記紐状体２０の長手方向に沿って移動可能となる。したがって、建物Ａ内で作業する際にも、前記養生シート１０を簡単にスライドさせることができるので、建物Ａ内にも出入りがし易い。
【００３９】
また、前記養生シート１０によって前記外壁１を覆うことができるので、泥水等が外壁面に飛び跳ねたり、前記開口部３ａから建物Ｃ内部へと飛び跳ねて入ったりすることを防ぐことができるようになっている。
【００４０】
（第２の実施の形態）
次に、図面を参照して本発明に係る養生シートの取付構造の第２の実施の形態について説明する。なお、説明の便宜上、上述した第１の実施の形態とは異なる構成部分のみについて説明する。
【００４１】
ところで、施工途中の建物には雨養生がなされるが、工期が短い場合や梅雨の時期等、雨の日でも作業を進めなくてはならない場合がある。そこで、このような場合にも建物側へと打ち込む雨を防ぐことができるとともに、雨天時においても軒下での作業を進めることができ、これによって、施工性を向上させることができるような技術の開発が望まれていた。
【００４２】
すなわち、本実施の形態の養生シート１１の取付構造は、図５に示すように、施工途中の建物Ｂの外壁２の周囲に外部作業用の足場５が設置されており、
前記建物Ｂの屋根６に沿って第２の紐状体２１が張り渡されており、
この第２の紐状体２１に複数の第２のフック部材３１が前記第２の紐状体２１の長手方向に沿って移動可能に取り付けられており、
前記第２のフック部材３１に第２の養生シート１１の上端部が取り付けられており、
前記第２の養生シート１１の下端部が前記足場５に取り付けられている。
【００４３】
また、前記屋根６に沿って、複数の第２の吊り金具４１が所定間隔で、かつ前記屋根６から突出して取り付けられており、前記第２の吊り金具４１に前記第２の紐状体２１が張り渡されている。
【００４４】
前記足場５は、作業現場の地面から鉛直方向に設置された複数の支柱５ａと、これら複数の支柱５ａ、５ａ間に組み付けられる水平材５ｂおよび斜材５ｃ、足場板５ｄとを備えている。
【００４５】
前記第２の養生シート１１は、樹脂製の本体シート１１ａと、この本体シート１１ａの縦横に編み込まれた補強糸（図示せず）と、前記本体シート１１ａの端部に沿って複数形成された前記複数の第２のフック部材３１を引っ掛けるための引掛穴１１ｂとを備えている。
このような第２の養生シート１１は、樹脂製であることから撥水性において格段に優れ、加えて軽量で、耐候性にも優れており、編み込まれた補強糸により強度においても優れている。
【００４６】
なお、本実施の形態の第２の養生シート１１は上述のような構成としたが、これに限られるものではなく、本発明の趣旨を逸脱しない範囲で適宜変更可能である。
【００４７】
また、前記第２の紐状体２１、第２のフック部材３１および第２の吊り金具４１は、上記第１の実施の形態で用いた紐状体２０、フック部材３０および吊り金具４０と同様の構成となっているので説明を省略する。
【００４８】
次に、前記第２の養生シート１１を建物Ｂの外壁２に取り付けるには、図５に示すように、まず、前記屋根６の軒先部６ａに沿って前記複数の第２の吊り金具４１を所定間隔で、かつ前記外壁２から突出して取り付ける。
この時、これら複数の第２の吊り金具４１は、前記第２の紐状体２１の両端部２１ａ、２１ｂを取り付けできるように前記軒先部６ａの左右端部に取り付けておく。
【００４９】
次に、これら複数の第２の吊り金具４１に前記第２の紐状体２１を張り渡す。そして、この第２の紐状体２１の両端部２１ａ、２１ｂは、前記軒先部６ａの左右端部に取り付けられた第２の吊り金具４１に強く固定しておく。
【００５０】
次に、前記複数の第２の吊り金具４１間に張り渡された前記第２の紐状体２１に、前記複数の第２のフック部材３１を前記第２の紐状体２１の長手方向に沿って移動可能に取り付ける。
【００５１】
そして、これら複数の第２のフック部材３１に、前記第２の養生シート１１の上端部を取り付け、この第２の養生シート１１の下端部を前記足場５に取り付ける。そして、前記第２のフック部材３１を用いて前記第２の養生シート１１の下端部を前記足場５に取り付けるようにすると、他の部材を揃えなくて済むので好ましい。
【００５２】
このような第２の養生シート１１の取付方法によれば、前記屋根６に前記第２の吊り金具４１を取り付けて、これら第２の吊り金具４１に前記第２の紐状体２１を張り渡し、この第２の紐状体２１に前記複数の第２のフック部材３１を介して前記第２の養生シート１１を取り付けておき、この第２の養生シート１１の下端部を前記足場５に取り付けるだけで、その取付作業が完了する。したがって、取付作業を早く済ませることができ、かつ人員も少なくて済むので、コストの削減や施工性の向上を図ることが可能となる。
【００５３】
以上のような構成の養生シート１１の取付構造によれば、前記外壁２の周囲に設置された足場５と、前記屋根６に沿って張り渡された第２の紐状体２１との間に、前記第２の養生シート１１を張設することができるので、前記足場５と屋根６との間から建物Ｂ側へと打ち込む雨を防いで、雨天時においても軒下での作業を進めることが可能となり、施工性を向上させることが可能となる。
【００５４】
また、前記複数の第２のフック部材３１が前記第２の紐状体２１の長手方向に沿って移動可能となっているので、前記第２の養生シート１１の下端部を前記足場５から取り外しておけば、この第２の養生シート１１を前記第２の紐状体２１の長手方向に沿ってスライドさせることができるようになっている。したがって、屋根６の軒先部６ａの作業時や晴天時等、必要に応じて前記第２の養生シート１１を一時的に端に寄せておくことができる。そして、このように一時的に端に寄せておけば、突然の降雨にも早急に対応することが可能となる。
【００５５】
さらに、前記第２の養生シート１１の表面を伝って雨水が外壁２からより遠い位置に流れるので、泥水等が外壁面に飛び跳ねることを防ぐことができるようになっている。
【００５６】
（第３の実施の形態）
次に、図面を参照して本発明に係る養生シートの取付構造の第３の実施の形態について説明する。なお、説明の便宜上、上述した第１および第２の実施の形態とは異なる構成部分のみについて説明する。
【００５７】
本実施の形態の養生シート１２の取付構造は、図７に示すように、施工途中の建物Ｃの外壁３の周囲に外部作業用の足場７が設置されている。
また、前記建物Ｃの外壁３の上縁部に沿って第３の紐状体２２が張り渡されており、この第３の紐状体２２に複数の第３のフック部材３２が前記第３の紐状体２２の長手方向に沿って移動可能に取り付けられており、前記第３のフック部材３２に第３の養生シート１２の上端部が取り付けられており、前記第３の養生シート１２の下端部が前記足場７に取り付けられている。さらに、前記建物Ｃの外壁３には開口部３ａが形成されている。
【００５８】
また、前記外壁３の上縁部に沿って、複数の第３の吊り金具４２が所定間隔で、かつ前記外壁３から突出して取り付けられており、前記第３の吊り金具４２に前記第３の紐状体２２が張り渡されている。
【００５９】
前記第３の養生シート１２は、上述した第１の実施の形態で用いられた養生シート１０と同様に防炎性、撥水性において特に優れ、軽量である。また、カーテン様の襞が設けられており、前記外壁３と足場７との間に張設できる大きさに形成されている。
そして、前記第３のフック部材３２を用いて前記第３の養生シート１２の下端部を前記足場７に取り付けるようにすると、他の部材を揃えなくて済むので好ましい。
【００６０】
なお、本実施の形態の第３の養生シート１２は上述のような構成としたが、これに限られるものではなく、本発明の趣旨を逸脱しない範囲で適宜変更可能である。
【００６１】
また、前記第３の紐状体２２、第３のフック部材３２および第３の吊り金具４２は、上記第１および第２の実施の形態で用いた紐状体２０、２１、フック部材３０、３１および吊り金具４０、４１と同様の構成となっているので説明を省略する。
【００６２】
このような養生シート１２の取付構造によれば、前記第３の養生シート１２によって前記外壁３と足場７との間から建物Ｃ側へと打ち込む雨を防ぐことができるので、雨天時においても前記第３の養生シート１２の下で作業を進めることが可能となり、施工性を向上させることが可能となる。
また、前記第３の養生シート１２の襞を伝って雨水が外壁３からより遠い位置に流れるので、泥水等が外壁面に飛び跳ねたり、前記開口部３ａから建物Ｃ内部へと飛び跳ねて入ったりすることを防ぐことができるようになっている。
【００６３】
（第４の実施の形態）
次に、図面を参照して本発明に係る養生シートの取付構造の第４の実施の形態について説明する。なお、説明の便宜上、上述した第１〜第３の実施の形態とは異なる構成部分のみについて説明する。
【００６４】
本実施の形態の養生シート１３、１４の取付構造は、図８に示すように、施工途中の建物Ｄの外壁４の周囲に外部作業用の足場８が設置されている。
また、前記建物Ｄの屋根９に沿って第４の紐状体２３が張り渡されており、この第４の紐状体２３に複数の第４のフック部材３３が前記第４の紐状体２３の長手方向に沿って移動可能に取り付けられており、前記第４のフック部材３３に第４の養生シート１３の上端部が取り付けられており、前記第４の養生シート１３の下端部が前記足場８に取り付けられている。
さらに、前記建物Ｄの外壁４の上縁部に沿って第５の紐状体２４が張り渡されており、この第５の紐状体２４に、複数の第５のフック部材３４が前記第５の紐状体２４の長手方向に沿って移動可能に取り付けられており、前記第５のフック部材３４に第５の養生シート１４の上端部が取り付けられており、前記第５の養生シート１４の下端部が前記足場８に取り付けられている。
【００６５】
また、前記屋根９に沿って、複数の第４の吊り金具４３が所定間隔で、かつ前記屋根９から突出して取り付けられており、前記第４の吊り金具４３に前記第４の紐状体２３が張り渡されている。
さらに、前記外壁４の上縁部に沿って、複数の第５の吊り金具４４が所定間隔で、かつ前記外壁４から突出して取り付けられており、前記第５の吊り金具４４に前記第５の紐状体２４が張り渡されている。
【００６６】
前記第４の養生シート１３は、上述した第２の実施の形態で用いられた第２の養生シート１１と同様の構成となっており、前記第５の養生シート１４は、上述した第３の実施の形態で用いられた第３の養生シート１２と同様の構成となっている。
また、前記第４および第５の紐状体２３、２４、第４および第５のフック部材３３、３４、第４および第５の吊り金具４３、４４は、上述した第１〜第３の実施の形態で用いた各紐状体２０、２１、２２や、フック部材３０、３１、３２および吊り金具４０、４１、４２と同様の構成となっているので説明を省略する。
【００６７】
このような養生シート１３、１４の取付構造によれば、前記第４の養生シート１３によって前記足場８と屋根９との間から建物Ｄ側へと打ち込む雨を防ぐとともに、前記第５の養生シート１４によって前記外壁４と足場８との間から建物Ｄ側へと打ち込む雨を防ぐことができるので、より効果的に雨の打ち込みを防ぐことが可能となり、雨天時においても軒下で作業を進めることが可能となり、施工性を向上させることができる。
【００６８】
しかも、これら第４および第５の養生シート１３、１４は、それぞれ前記第４および第５の紐状体２３、２４の長手方向に沿ってスライドさせることができるようになっているので、屋根９の軒先部９ａや外壁４での作業時、または晴天時等、必要に応じて前記第４および第５の養生シート１３、１４を一時的に端に寄せておくことができる。そして、このように一時的に端に寄せておけば、突然の降雨にも早急に対応することが可能となる。
【００６９】
また、前記第４の養生シート１３の表面および前記第５の養生シート１４の襞を伝って、雨水が外壁４からより遠い位置に流れるので、泥水等が外壁面に飛び跳ねることを防ぐことができるようになっている。
【００７０】
そして、前記第４および第５のフック部材３３、３４を用いて前記第４および第５の養生シート１３、１４の下端部を前記足場８に取り付けるようにすると、他の部材を揃えなくて済むので好ましい。
【００７１】
（第５の実施の形態）
次に、図面を参照して本発明に係る養生シートの取付構造の第５の実施の形態について説明する。なお、説明の便宜上、上述した第１〜第４の実施の形態とは異なる構成部分のみについて説明する。
【００７２】
本実施の形態の養生シート１００の取付構造は、図１０に示すように、施工途中の建物Ｅの外壁１０１の周囲に外部作業用の足場１０２が設置されている。
また、前記建物Ｅの屋根１０３に沿って第６の紐状体１０４が張り渡されており、この第６の紐状体１０４に複数の第６のフック部材１０５が取り付けられており、前記第６のフック部材１０５に第６の養生シート１００の上端部が取り付けられており、前記第６の養生シート１００の下端部が前記足場１０２に取り付けられている。
【００７３】
そして、前記第６の養生シート１００は、中心に撓みができるように前記第６の紐状体１０４および足場１０２に取り付けられており、この第６の養生シート１００の撓みには、排水口１００ａが設けられた状態となっている。
【００７４】
すなわち、前記第６の養生シート１００を、中心に撓みができるようにして取り付けることによって、この第６の養生シート１００を雨樋のように用いることができるようになっている。
【００７５】
このように前記第６の養生シート１００を雨樋のように用いることによって、例えば、雨が振っている時等、屋根１０３から流れてくる雨水を前記養生シート１００によって受け止めて、雨水を建物側に流さないようにすることができるようになっている。
【００７６】
また、前記排出口１００ａの先端に排出ホース１０６を取り付けても良い。このように排水ホース１０６を取り付けることによって、前記養生シート１００によって受け止めた雨水等をより遠くに排出することが可能となる。
これによって、前記屋根１０３から流れてくる雨水を建物からさらに遠くに流すことができるので、泥水等が外壁１０１に向かって飛び跳ねることを防ぐことができるようになっている。
【００７７】
なお、前記排水口１００ａを、前記養生シート１００に対して複数設けることによって、排水性能を向上させることができるので望ましい。
【００７８】
また、雨水の量が多い場合には、前記排水口１００ａからの排水に加えて、前記養生シート１００の側縁側からも雨水が流れるようになっているので、前記養生シート１００は雨水の重みにも耐えることができるようになっている。
【図面の簡単な説明】
【００７９】
【図１】本発明の養生シートの取付構造を示す斜視図である。
【図２】養生シートが紐状体の長手方向に沿って移動可能であることを示す斜視図である。
【図３】建物の外壁の一部に入隅部が形成されていた場合の養生シートの取付構造を示す斜視図である。
【図４】図１に示す養生シートの取付構造を示す平面図である。
【図５】第２の実施の形態における養生シートの取付構造を示す斜視図である。
【図６】フック部材を示す正面図である。
【図７】第３の実施の形態における養生シートの取付構造を示す斜視図である。
【図８】第４の実施の形態における養生シートの取付構造を示す側面図である。
【図９】養生シートの側縁にファスナーを取り付けたことを示す説明図であり、（ａ）は隣り合う養生シートどうしの取り付け状態を示し、（ｂ）は丈の異なる養生シートどうしの取り付け状態を示している。
【図１０】第５の実施の形態における養生シートの取付構造を示す側面図である。
【符号の説明】
【００８０】
Ａ  建物
１  外壁
１０  養生シート
２０  紐状体
３０  フック部材
４０  吊り金具
【図１】
2007039907.tif 000003
【図２】
2007039907.tif 000004
【図３】
2007039907.tif 000005
【図４】
2007039907.tif 000006
【図５】
2007039907.tif 000007
【図６】
2007039907.tif 000008
【図７】
2007039907.tif 000009
【図８】
2007039907.tif 000010
【図９】
2007039907.tif 000011
【図１０】
2007039907.tif 000012